(57)【要約】【課題】  注ぎ口を有する容器から別の容器等に液体を注ぐ際、注ぎ終わった時にその液体が注ぎ口から容器本体外側を伝って垂れることで、液体を注ぎ終わった後に容器を置いたテーブル等を汚してしまうという欠点があった。本発明はこの欠点に対し、液垂れそのものを起こさない形状を備えるため、油や溶き卵等の粘性が高い液体を注ぐ場合や、繰り返し注ぐ場合等の液垂れ量が多い用途でも、液垂れによるテーブル等の汚れを防ぐことができる。【解決手段】  注ぎ口から垂れた液体を受けるための受け口を注ぎ口下部に設け、受け口底部から容器本体内外に貫通する形でパイプ状の液体流路を斜め下方に配置することで、垂れた液体を容器内へ戻す。繰り返し液体を注ぐ場合に、受け口及びパイプ状の液体流路に残留する液体の逆流による受け口からの液垂れを防止できる受け口形状を備える。【選択図】図４
2019195620.tif 000002
【特許請求の範囲】
【請求項１】
本体を傾けることにより液体を注ぐ上方が開口した容器において、注ぎ口下部の本体外側に受け口を設け、受け口の底部から容器内外を貫通する形で設けたパイプ状の液体流路を、容器本体をテーブル等に置いた状態で受け口から容器内の斜め下方向に配置した形状を備えることを特徴とする液垂れ防止液体容器。
【請求項２】
容器内液体の注ぎ始めから、全て注ぎ終わるまでの容器本体の傾きにおいて、受け口及びパイプ状の液体流路に残留する液量に相当する量の液体を収納できる容量の窪み形状を形成した受け口を備えることを特徴とする請求項１の液垂れ防止液体容器。
【発明の詳細な説明】
【技術分野】
【０００１】  本発明は、液体、油等の液体容器に用いる液垂れ防止液体容器に関する。
【背景技術】
【０００２】  従来、注ぎ口を有する液体容器から別の容器等に液体を注ぐ際、注ぎ終わった後にその液体が注ぎ口から容器本体外側を伝って垂れることで、液体容器を置いたテーブル等を汚してしまうということがあった。
そこで、液体を注いだ後に注ぎ口から垂れた液体が、液体容器本体外側を伝って垂れることを防ぐために注ぎ口下部に窪みを設けた（特許文献１）や、注ぎ口下部から後方に至る液体の流路を設け、液体を注いだ後に液体容器をテーブル等に置いた時に、注ぎ口から垂れた液体を注ぎ口後方の細孔を介して容器内に戻す（特許文献２）が開示されている。
【先行技術文献】
【特許文献】
【０００３】
【特許文献１】特許第４７４６１４５号公報
【特許文献２】特開２０００−１６８８２１号公報
【発明の概要】
【発明が解決しようとする課題】
【０００４】しかし特許文献１は、注ぎ口の直下に凹みを設けることで液垂れ量を微量にし、それを凹み部分を通すことで液垂れを防止するというものだが、垂れた液体に粘性がある場合や、繰り返し注ぐ場合は液垂れ量が多くなり、凹み部で留まらなくなるため、液垂れを防ぐことができない。
また特許文献２は、開口部が狭い容器向けの液垂れ防止に関するものであり、液体を他の容器に移し替える際に用いる容器等の上方が開口した液体容器には適さない。
本発明は、注ぎ口から垂れた液体を、注ぎ口下部に設けた受け口からパイプ状の液体流路を介して容器内に戻すという点で異なっている。
これにより特許文献１に対し、油や溶き卵等の粘性が高い液体を注ぐ場合や、繰り返し注ぐ場合等の液垂れ量が多い用途においても、液垂れによるテーブル等の汚れを防ぐことができる。
これにより特許文献２に対し、垂れた液体の戻し流路が容器内に構成されるため、調理用の容器、コップ等の上方開口部が大きい容器に適用することができる。【０００５】  本発明が解決しようとする課題は、注ぎ口から垂れた液体の量、粘性に関わらず、注ぎ口下部に設けた受け口で受け止めることで、注ぎ口から垂れた液体が容器本体の外側を伝って垂れるのを防止する上方が開口した液体容器を提供することである。
【課題を解決するための手段】
【０００６】  請求項１の本発明の液垂れ防止液体容器は、本体を傾けることにより液体を注ぐ上方が開口した容器において、注ぎ口下部の本体外側に受け口を設け、受け口の底部から容器内外を貫通する形で設けたパイプ状の液体流路を、容器本体をテーブル等に置いた状態で受け口から容器内の斜め下方向に配置した形状を備えることを特徴とする。【０００７】  請求項２の本発明の液垂れ防止液体容器は、請求項１において、容器内液体の注ぎ始めから、全て注ぎ終わるまでの容器本体の傾きにおいて、受け口及びパイプ状の液体流路に残留する液量に相当する量の液体を収納できる容量の窪み形状を形成した受け口を備えることを特徴とする。
【発明の効果】
【０００８】  請求項１の本発明の液垂れ防止液体容器によれば、特に液垂れし易い油や溶き卵等の粘性が高い液体を注いだ場合や、繰り返し注ぐ場合等の液垂れ量が多い用途でも、注いだ後の液垂れを確実に防止することができる。【０００９】  請求項２の本発明の液垂れ防止液体容器によれば、受け口及びパイプ状の液体流路に残存する液体を収納できる形状の受け口を備えることで、繰り返し注ぐ場合に受け口及びパイプ状の液体流路に残存する液体の逆流による受け口からの液垂れを防止することができる。
【図面の簡単な説明】
【００１０】
【図１】本発明の実施例１を示す液体容器の斜視図である。
【図２】本発明の実施例１を示す液体容器の断面図である。
【図３】本発明の実施例２を示す液体容器の斜視図である。
【図４】本発明の実施例２を示す液体容器の断面図である。
【図５】本発明の実施例３を示す液体容器の斜視図である。
【図６】本発明の実施例３を示す液体容器の断面図である。
【発明を実施するための形態】
【実施例１】
【００１１】  本発明の実施例を図面を基に説明する。図１に示す本発明の実施例１の液体容器は、上方が開口し液体を収納できる容器本体１を備えており、上方開口縁部に注ぎ口２、注ぎ口２の下に注ぎ口２から垂れた液体を受け止める受け口３を備える。【００１２】  図２に示す様に、受け口３の底部から容器本体内外に貫通する形で、受け口３で受け止めた液体を容器本体内に戻すためのパイプ状の液体流路５を、容器本体１をテーブル等に置いた状態で受け口から斜め下方向に配置する。この構成により、液体を注いだ後に容器本体１をテーブル等に置いた時に注ぎ口２から垂れた液体は受け口３で受け止められ、パイプ状の液体流路５を介して戻し口６から容器本体１の内部に戻される。【００１３】  液体を注ぐ時に、容器本体１内の液体がこのパイプ状の液体流路５を逆流しないようにするために、容器をテーブル等に置いた時と液体を注ぐために容器を傾けた時の容器本体１内の液面が、戻し口６に触れない液体収納量にする必要がある。容器本体１内に液体をより多く収納するためには、戻し口６を容器本体１底面から遠く、容器本体１内の持ち手４側の背面近くに配置した方が好ましい。
【実施例２】
【００１４】  図３、４に示す本発明の実施例２の液体容器は、短い時間間隔で繰り返し液体を注ぐ用途に用いるものであり、受け口３に窪み形状７を備える点が実施例１と異なる。【００１５】  図３、４に示す受け口３は、容器内液体の注ぎ始めから、全て注ぎ終わる時に９０度程度傾けるまでの容器本体１の傾きにおいて、受け口３及びパイプ状の液体流路５に残留する液量に相当する量の液体を収納できる容量の窪み形状７を備える。これにより短い時間間隔で複数回液体を注ぐ際に、前回注いだ後に垂れて受け口３及びパイプ状の液体流路５を流れていた液体が逆流しても、受け口３から液体が垂れてしまうことを防ぐ。【００１６】  図３，４に示す受け口３は、パイプ状の液体流路５の容器本体１外側部分を覆う形状のため、受け口３の開口部から容器本体１内への埃や異物の混入を防ぐ効果が見込まれる。
【実施例３】
【００１７】  図５、６は、本発明をコップに適用した場合の実施例である。これにより、幼児や高齢者等の飲み物の飲み込みが苦手な人が、コップ８による飲用時に飲み口９から飲み物が垂れてしまう場合などの液垂れ防止効果が見込まれる。
【符号の説明】
【００１８】  １容器本体
２注ぎ口
３受け口
４持ち手
５パイプ状の液体流路
６戻し口
７窪み形状
８コップ
９飲み口
【図１】
2019195620.tif 000003
【図２】
2019195620.tif 000004
【図３】
2019195620.tif 000005
【図４】
2019195620.tif 000006
【図５】
2019195620.tif 000007
【図６】
2019195620.tif 000008